(57)【特許請求の範囲】
【請求項１】
フレーム構造（６６）を含むシングルパスインクジェットプリンタ（６５）のためのプリントヘッドモジュール（１）であって、当該プリントヘッドモジュール（１）が前記フレーム構造（６６）に配設される当該プリントヘッドモジュール（１）において、
Ｘ方向に延在する横断ブラケット（８）であって、少なくとも１つの基準位置に対して位置的に調整される複数のプリントヘッド（１０）が配置される、当該横断ブラケット（８）を有するハウジングコンポーネント（２）と、
支持フレーム（３）であって、前記フレーム構造（６６）の支持体（６８）上に前記プリントヘッドモジュール（１）を載置するための載置手段（２０）を有する当該支持フレーム（３）とを備え、
前記横断ブラケットを有する前記ハウジングコンポーネントが前記支持フレームにぶら下がるように配設されて、前記ハウジングコンポーネント（２）が、揺動軸（５）を中心として揺動し得るように前記支持フレーム（３）に取り付けられ、前記支持フレームと前記ハウジングコンポーネントは前記載置手段（２０）にぶら下がるように配設される、プリントヘッドモジュール（１）。
【請求項２】
前記揺動軸（５）が、Ｚ方向において前記横断ブラケット（８）の上方に位置する、請求項１に記載のプリントヘッドモジュール（１）。
【請求項３】
前記揺動軸（５）が前記Ｘ方向に平行に方向付けられている、請求項１または２に記載のプリントヘッドモジュール（１）。
【請求項４】
前記支持フレーム（３）の前記載置手段（２０）が、前記Ｚ方向において前記揺動軸（５）の上方に配置される、請求項１〜３のいずれか一項に記載のプリントヘッドモジュール（１）。
【請求項５】
前記支持フレーム（３）の前記載置手段（２０）が、前記Ｚ方向において前記プリントヘッドモジュール（１）の質量中心（Ｓ）の上方に配置される、請求項１〜４のいずれか一項に記載のプリントヘッドモジュール（１）。
【請求項６】
前記支持フレーム（３）が、前記Ｘ方向において互いから離間されている２つの支持アーム（１８）を含み、および前記載置手段（２０）が、前記支持アーム（１８）の自由端の領域に配置される、請求項１〜５のいずれか一項に記載のプリントヘッドモジュール（１）。
【請求項７】
前記支持フレーム（３）が、横材（１７）であって、前記Ｘ方向に延在し、かつ前記Ｚ方向において前記揺動軸（５）の上方に配置される横材（１７）を含む、請求項１〜６のいずれか一項に記載のプリントヘッドモジュール（１）。
【請求項８】
重量により自由に方向付けられる方式で垂直方向に持ち上げて入れるおよび出すための取付補助具（３０）、特にコード締結手段（４７）が、前記Ｚ方向において前記プリントヘッドモジュール（１）の前記質量中心（Ｓ）の上方に配置される、請求項１〜７のいずれか一項に記載のプリントヘッドモジュール（１）。
【請求項９】
連結モジュール（６）が、前記Ｚ方向において前記支持フレーム（３）上に据えられ、前記連結モジュール（６）が、少なくとも作動媒体を供給するためおよび電気エネルギーを提供するための複数の第１コネクタ（３４）を備えた第１連結部（３１）を含み、前記支持フレーム（３）が、前記第１コネクタ（３４）に対して相補的である複数の第２コネクタ（３５）を備えた第２連結部（３２）を含み、かつ前記第１連結部（３１）および前記第２連結部（３２）が、前記第１コネクタ（３４）と前記第２コネクタ（３５）との間の接続部の作製で機械的に互いから分離され、および互いに連結されることが可能である、請求項１〜８のいずれか一項に記載のプリントヘッドモジュール（１）。
【請求項１０】
前記連結モジュール（６）が前記横材（１７）に据えられる、請求項７または９に記載のプリントヘッドモジュール（１）。
【請求項１１】
前記取付補助具（３０）が前記連結モジュール（６）に配置される、請求項８に記載のプリントヘッドモジュール（１）。
【請求項１２】
前記ハウジングコンポーネント（２）が、前記Ｚ方向に延在し、かつ前記横断ブラケット（８）へ接続される２つのサイドチーク（１２）を含み、および前記支持フレーム（３）が前記サイドチーク（１２）間に配置される、請求項１〜１１のいずれか一項に記載のプリントヘッドモジュール（１）。
【請求項１３】
１つの側壁（１３）が、前記横断ブラケット（８）の両側に、および前記ハウジングコンポーネント（２）の前記サイドチーク（１２）に取り付けられている、請求項１２に記載のプリントヘッドモジュール（１）。
【請求項１４】
前記載置手段（２０）が、Ｘ−Ｙ平面に延在する１つの平らな載置面（４９）を含む、請求項１〜１３のいずれか一項に記載のプリントヘッドモジュール（１）。
【請求項１５】
前記揺動軸（５）が、少なくとも１つのラジアル滑り軸受（１４）により固定される、請求項１〜１４のいずれか一項に記載のプリントヘッドモジュール（１）。
【請求項１６】
前記少なくとも１つのラジアル滑り軸受（１４）が、前記Ｘ方向に方向付けられ、かつ大きめの開口部（５１）を通して案内される案内ピン（５０）を含む、請求項１５に記載のプリントヘッドモジュール（１）。
【請求項１７】
前記少なくとも１つのラジアル滑り軸受（１４）の前記案内ピン（５０）が、前記支持フレーム（３）に取り付けられ、かつ前記ハウジングコンポーネント（２）の開口部（５１）内で案内される、請求項１６に記載のプリントヘッドモジュール（１）。
【請求項１８】
少なくとも１つの支持用軸受（５６）が、支持フレーム（３）をＹ方向において前記ハウジングコンポーネント（２）で支持するために含まれる、請求項１〜１７のいずれか一項に記載のプリントヘッドモジュール（１）。
【請求項１９】
前記Ｘ方向に離間されている少なくとも２つの支持用軸受（５６）が設けられ、および前記支持用軸受（５６）のうちの一方が浮動軸受として構成され、かつ前記支持用軸受（５６）のうちの他方が、前記Ｘ方向に対して固定軸受として構成される、請求項１８に記載のプリントヘッドモジュール（１）。
【請求項２０】
前記Ｘ方向において互いから離間され、かつ開放軸受（７４）での自己調整位置決めのために構成される少なくとも２つの軸受部品（４２）が、前記ハウジングコンポーネント（２）に配置される、請求項１〜１９のいずれか一項に記載のプリントヘッドモジュール（１）。
【請求項２１】
前記軸受部品（４２）の軸受座に対する概略的位置決めのための捕捉手段（４３）が、前記ハウジングコンポーネント（２）に配置される、請求項２０に記載のプリントヘッドモジュール（１）。
【請求項２２】
停止面（７５）と接触するための停止部品（４４）が、前記ハウジングコンポーネント（２）に配置される、請求項１〜２１のいずれか一項に記載のプリントヘッドモジュール（１）。
【請求項２３】
前記プリントヘッド（１０）の少なくとも制御盤（２７）と、特に、作動媒体、電気エネルギー、空気および／または冷却剤のための供給ライン（２４）、情報信号のための制御ライン、ヒューズ（２６）ならびに／または前記プリントヘッド（１０）のための供給もしくは駆動ユニット（２３）とが、支持フレーム（３）に取り付けられている、請求項１〜２２のいずれか一項に記載のプリントヘッドモジュール（１）。
【請求項２４】
シングルパスインクジェットプリンタ（６５）であって、フレーム構造（６６）を有し、かつ請求項１〜２３のいずれか一項に記載の少なくとも１つのプリントヘッドモジュール（１）を有し、前記プリントヘッドモジュール（１）の前記支持フレーム（３）が、前記載置手段（２０）により、前記フレーム構造（６６）に配置される少なくとも１つの支持体（６８）に配設される、シングルパスインクジェットプリンタ（６５）。
【請求項２５】
前記少なくとも１つの支持体（６８）が、ボールジョイント（７１）を介して支持される平らな載置面（７０）を含む、請求項２４に記載のシングルパスインクジェットプリンタ（６５）。
【請求項２６】
前記少なくとも１つのプリントヘッドモジュール（１）の前記ハウジングコンポーネント（２）の、前記Ｘ方向に離間されている前記少なくとも２つの軸受部品（４２）が、前記フレーム構造（６６）に配置される１つの開放軸受（７４）において位置決めされる、請求項２４または２５に記載のシングルパスインクジェットプリンタ（６５）。
【請求項２７】
前記少なくとも１つのプリントヘッドモジュール（１）の前記ハウジングコンポーネント（２）の前記停止部品（４４）が、前記フレーム構造（６６）に配置される停止面（７５）に当接する、請求項２４〜２６のいずれか一項に記載のシングルパスインクジェットプリンタ（６５）。
【発明の詳細な説明】
【技術分野】
【０００１】
本発明は、シングルパスインクジェットプリンタのためのプリントヘッドモジュールであって、少なくとも１つの基準位置に対して位置的に調整されるいくつかのプリントヘッドが配置される、横断ブラケットを備えたハウジングコンポーネントを含む、プリントヘッドモジュールに関する。さらに、本発明は、このタイプのプリントヘッドモジュールを有するシングルパスインクジェットプリンタに関する。
【背景技術】
【０００２】
従来のインクジェットプリンタの場合、キャリッジに取り付けられたプリントヘッドが、インク液滴を進行方向に不連続的に運ばれる媒体上へ横断方向に一列毎に噴霧する一方、シングルパスインクジェットプリンタの場合のプリントヘッドは、冒頭で述べられたタイプのプリントヘッドモジュールにおいて、印刷媒体の幅全体にわたって横断方向に取り付けられる。印刷媒体は進行方向に連続的に動かされる。従来のインクジェットプリンタの場合、最大で２ｍ毎分の印刷速度が達成される一方、最大で５０ｍ毎分を超える印刷速度がシングルパスインクジェットプリンタにより達成され得る。カラー印刷について、シングルパスインクジェットプリンタの場合、複数のプリントヘッドモジュールが進行方向に順次取り付けられる。ここで、プリントヘッドモジュールは、各場合において、原色、特にシアン、マゼンタおよび黄色ならびに場合により黒を割り当てられる。特別なインクを備えたプリントヘッドモジュールが特別な印刷用途のために加えられる。
【０００３】
シングルパスインクジェットプリンタは、特に、バルク品が印刷されなければならない工業用途に好適であり、したがって、これは高い処理能力に及ぶ。シングルパスインクジェットプリンタは同様に、印刷速度が速いため、大面積の対象物に好適である。シングルパスインクジェットプリンタは、したがって、特にラミネートまたはセラミックタイルなどの床の敷物、調理台、成形台などが装飾を施されて提供される調度品またはセラミック産業の工業用途に適している。ここで、例えば後の保護カバーに対して耐久性がある非常に幅広い種類のインクが使用される。
【０００４】
グラビア印刷などの従来の印刷方法と比較すると、シングルパスインクジェットプリンタは、インプレッションロールの製造に価値がない、小さいバッチサイズの場合にも正確に使用される。対照的に、シングルパスインクジェットプリンタはまた、装飾およびロールにより達成され得ない不可能な装飾として既知のものの個別化を可能にする。シングルパスインクジェットプリンタは、回転印刷の場合のような１つの印刷パターンまたは複写の連続的な繰り返しに限定されない。
【０００５】
シングルパスインクジェットプリンタのためのプリントヘッドモジュールは、横断方向および垂直に１ｍを超える寸法を達成する傾向、さらにより大きい印刷幅と、したがって一般的な寸法とをさらに増大させる傾向を実現する。プリントヘッドモジュールの横断ブラケットにおいて組み合わされる個別のプリントヘッドは、最大で数１０センチメートルの幅に到達する。ここで、最大で６００×６００ｄｐｉ（インチ当たりドット）以上の解像度が達成される。ここで、印刷ヘッド１つ当たり数千個のノズルが含まれる。したがって、複数のプリントヘッドがプリントヘッドモジュール内に配置され、このプリントヘッドに関しては複数の印刷ノズルを含む。特に、プリントヘッドモジュールの横断ブラケットは、印刷幅全体または印刷媒体の幅全体にわたって延在する。
【０００６】
数マイクロメートル（μｍ）の位置的ずれが、印刷された画像において人の眼を使用すると見える。上記の解像度の場合、印刷ヘッドの個別のノズルは、互いから数十分の１マイクロメートル離れているに過ぎない。画像または印刷ドット自体のサイズは、１０マイクロメートルの範囲内にある。媒体の進行方向において互いに前後に配置される複数のプリントヘッドモジュールを備えたシングルパスインクジェットプリンタの場合、高品質の印刷画像を製造するために、プリントヘッドのマイクロメートル範囲での調整が必要となることが分かり得る。シングルパスインクジェットプリンタにおけるプリントヘッドモジュールの調整は、したがって複雑である。プリントヘッドの位置は、例えば光顕微鏡により検出されなければならず、複雑な方式で手動で設定されなければならない。シングルパスインクジェットプリンタの構成は、したがって比較的多大な労力を要する。プリントヘッドモジュールの交換毎に調整も実施されなければならない。これはダウンタイムの不必要な延長をもたらす。
【０００７】
国際公開第２０１１／１５７２８１  Ａ１号パンフレットは、冒頭で述べられたタイプのプリントヘッドモジュールを開示している。前記プリントヘッドモジュールは、そのハウジングにおいて、重力により方向付けられる吊り下げのための垂下部を有する。ハウジングに配置されるプリントヘッドは、少なくとも１つの基準位置に対して位置的に調整される。垂下部を介して可能であるプリントヘッドモジュールの吊り下げ式締結は、垂直方向における容易な設置および分解を可能にする。同時に、プリントヘッドモジュールの吊り下げ式配置構成は、重心に作用する重力のために、自動的な方向付けを可能にする。吊り下げ式プリントヘッドモジュールの挿入中、結果として、ユニットに固定された後の印刷位置に対する概略的位置決めが既にある。特に、吊り下げ式締結は、ユニットに固定される印刷位置へのプリントヘッドモジュールの自動調整を可能にし、ユニットの端部で、例えば、開放軸受要素がシングルパスインクジェットプリンタに設けられており、この開放軸受要素へとプリントヘッドモジュールの軸受部品が持ち上げ中に正確な向きで落下する。後続の手動による調整は不要である。基準位置に対して位置的に調整されるプリントヘッドを介して、プリントヘッドモジュールが正確に方向付けられた状態でシングルパスインクジェットプリンタに対するプリントヘッドの同様に正確な方向付けが達成される。
【先行技術文献】
【特許文献】
【０００８】
【特許文献１】国際公開第２０１１／１５７２８１  Ａ１号
【発明の概要】
【発明が解決しようとする課題】
【０００９】
本発明は、プリントヘッドモジュールの寸法、およびシングルパスインクジェットプリンタにより達成され得る印刷幅のさらなる増大を、正確にはプリントヘッドの位置決め精度を低下させることなく達成するという目的に基づく。
【課題を解決するための手段】
【００１０】
本発明により、シングルパスインクジェットプリンタのためのプリントヘッドモジュールについて、Ｘ方向に延在する横断ブラケットであって、少なくとも１つの基準位置に対して位置的に調整されるいくつかのプリントヘッドが配置される、当該横断ブラケットを有するハウジングコンポーネントと、支持フレームであって、当該支持フレームを載置するための載置手段を有する当該支持フレームとが含まれ、ハウジングコンポーネントが、揺動軸を中心として揺動するように支持フレームに取り付けられるという事実のために前記目的が達成される。
【００１１】
さらに、設定される目標は、フレーム構造と上記タイプの少なくとも１つのプリントヘッドモジュールとを含むシングルパスインクジェットプリンタにより、本発明に従って達成され、プリントヘッドモジュールの支持フレームは、載置手段により、フレーム構造に配置される少なくとも１つの支持体に配設される。
【００１２】
ここで、本発明は、先行技術から既知である、プリントヘッドモジュールの拡大の場合に増加する固有の重量のためにプリントヘッドの望ましくない位置的変更が生じるという事実から第１ステップへ進む。プリントヘッドモジュールのハウジングは、重量負荷下でその形状を変える。横断方向またはＸ方向において幅１ｍを越えるプリントヘッドモジュールの寸法決めの場合、プリントヘッドの正確な位置決めは所与の変形のために困難である。
【００１３】
第２ステップにおいて、本発明は、結果として固有の重量による材料負荷を減らすために、プリントヘッドを支持するハウジングコンポーネントへの重量負荷を低減することを考慮することから進む。その寸法上の安定性を向上させるためのプリントヘッドモジュールの材料強化は、望ましくない方法でさらなる重量増加をもたらし、その結果として、それを取り付けるための構造上および材料の支出が増加し、取付けおよび分解中のプリントヘッドモジュールの取扱いがより困難となる。
【００１４】
プリントヘッドを支持するハウジングコンポーネントの重量負荷を減らすために、本発明は、シングルパスインクジェットプリンタの支持体に、載置手段により配設される支持フレームを提供する。支持フレームの重量は、したがってシングルパスインクジェットプリンタの支持体により吸収される。プリントヘッドを支持するハウジングコンポーネント自体は、吊り下げ方式で支持フレームに取り付けられる。結果として、さらに、シングルパスインクジェットプリンタ内へ持ち上げて入れられる間、重力の結果として単純で自動的な方向付けが行われる。支持フレームは、例えばプリントヘッドの制御盤または作動媒体のための供給ライン、電気エネルギーのためのライン、情報信号のための制御ライン、空気または電気ヒューズのためのラインまたは管など、プリントヘッドモジュールの重いコンポーネントを受け入れる選択肢を提供する。ハウジングコンポーネントは重量から解放される。支持フレームはまた、所定の位置で重量を構造的に取り除く可能性、および結果として、プリントヘッドを支持するハウジングコンポーネントの負荷を定められた方式で設計する可能性を提供する。換言すると、本発明は、配設され得る支持フレームと、プリントヘッドを支持する吊り下げ式ハウジングコンポーネントとへのプリントヘッドモジュールの分割を提供する。
【００１５】
本発明は、したがって、より大きい印刷幅を達成するために、プリントヘッドモジュールの寸法を正確に横断またはＸ方向にさらに増大させるという利点を提供するが、プリントヘッドの単純かつ厳密な調整の可能性は保持される。プリントヘッドモジュールの重量の一部は、支持フレームを介してシングルパスインクジェットプリンタの支持体へ拡散される。固有の重量の結果としての、プリントヘッドを支持するハウジングコンポーネントのあり得る材料変形は最小限に減らされる。
【００１６】
プリントヘッドモジュール、特にプリントヘッドを支持する横断ブラケットは、好ましくは印刷幅全体または印刷媒体の幅全体にわたって延在する。本発明により、２ｍを超える印刷幅およびしたがってプリントヘッドモジュールまたは横断ブラケットの横断寸法が達成される。同時に、さらにプリントヘッドのマイクロメートル範囲での正確な位置決め性能がある。
【００１７】
さらなる説明のために直交座標系が使用され、３つの空間方向がＸ方向、Ｙ方向およびＺ方向により示される。使用される方向は正空間領域に関連する。したがって、コンポーネントが別のコンポーネントの空間軸のうちの１つに沿って「上方」に位置する場合、その対応する軸方向セクションはより大きくなる。反対に、それが述べられた空間軸に関して別のコンポーネントの「下方」に位置する場合、コンポーネントの軸方向セクションはより小さくなる。
【００１８】
プリントヘッドモジュールの好ましい一改良形態において、揺動軸は、Ｚ方向においてハウジングコンポーネントの横断ブラケットの上方に位置し、この横断ブラケットはプリントヘッドを受ける。換言すると、横断ブラケットは支持フレームに「ぶら下がり」、その結果、プリントヘッドモジュールが垂直に持ち上げられると、それは、重力により方向付けられる方式で揺動軸の下方に位置決めされ得、かつ支持フレームに対するある傾きまたは極角周りで枢動し得る。結果として、ユニットに固定される傾いた印刷であっても、持ち上げて入れる間に自己調整の結果として単純な方法で達成され得、この印刷位置は、例えば印刷媒体の弓形の進行が技術的に必要である場合に必要である。
【００１９】
揺動軸は、さらに有利にはＸ方向に、すなわち印刷媒体の進行方向に対して垂直である横断方向に平行に方向付けられる。このような方法で、揺動軸は横断ブラケットの主方向に平行に延びる。揺動軸を中心とする横断ブラケットの揺動は、したがって、方位角の変化の原因とならない。プリントヘッドモジュールまたは横断ブラケットの方位角回転は、例えば、支持体における支持フレームの対応する移動を介して与えられる。代替的にまたはさらに、支持フレームに対するハウジングコンポーネントまたは横断ブラケットの小さい方位角回転を可能にするために、小さい遊びが揺動軸の軸受において好ましくは設けられる。
【００２０】
プリントヘッドモジュールのさらに好ましい改良形態において、支持フレームの載置手段がＺ方向において揺動軸の上方に配置される。換言すると、支持フレームと、したがってそこで揺動するハウジングコンポーネントとは、載置手段に「ぶら下がる」。シングルパスインクジェットプリンタの支持体に配設されるプリントヘッドモジュールは、重力の方に方向付けられた向きの場合、下向きに揺動する。結果として、垂直方向の単純な取付けおよび分解に加えて、プリントヘッドモジュール全体を、さらなる支持具または締結手段なしに支持体に配設することが可能である。重力の結果として、配設されたプリントヘッドモジュールは、その固有の重量のために安定的に配設されたままとなる。この目的のために、プリントヘッドモジュールの質量中心は、好都合には、Ｚ方向に対して支持フレームの載置手段の下方に配置される。特に、さらなるモジュールが支持フレーム上に据えられる場合、これが任意選択的に考慮に入れられるべきである。
【００２１】
支持フレームは、好ましくは、Ｘ方向において互いから離間されている２つの支持アームを含み、載置手段は支持アームの自由端の領域に配置される。支持アームは、支持フレームの載置ポイントを構造的に移動させる可能性を有する。例えば、支持アームは、Ｘ方向に横方向に、各場合において横断ブラケットを越えて拡張される。結果として、支持体は、シングルパスインクジェットプリンタに、構造上ハウジングコンポーネントから離間されて配置され得、これは同様に、持ち上げてシングルパスインクジェットプリンタの対応する軸受手段へ入れる間のプリントヘッドモジュール、特にハウジングコンポーネントの必要な自己調整にとって有利である。
【００２２】
支持フレームは、好都合には、Ｘ方向に延在し、かつＺ方向において揺動軸の上方に配置される横材を含む。プリントヘッドモジュールの機械的安定性はこのタイプの横材により増大する。さらなるモジュールが場合により横材上に据えられる。プリントヘッドモジュールの重量支持用コンポーネントが横材へ直接、または対応するフレーム構造を介して間接的に取り付けられる。
【００２３】
重力により自由に方向付けされる方式で、垂直方向に持ち上げて入れるおよび出すための取付補助具が、さらに有利には、Ｚ方向においてプリントヘッドモジュールの質量中心の上方に配置される。このタイプの取付補助具を介して、プリントヘッドモジュールは、ユニットに固定されておりかつ達成されるべき印刷位置に実質的に従って重力により自動的に方向付けられる。取付け中、傾きまたは方位角回転など、プリントヘッドモジュールの重力の方に方向付けられた向きからの偏差という意味での精度調整、そうでなければＸ方向またはＹ方向のオフセットが、シングルパスインクジェットプリンタの軸受手段により行われるが、その理由は、プリントヘッドモジュールは、プリントヘッドモジュールが自由に動くことのできる方式で吊り下げられるように持ち上げて入れられるからである。特に、取付補助具は、コード締結手段として構成され、プリントヘッドモジュールの取付けおよび分解は、コード昇降システムにより垂直方向に行われる。
【００２４】
プリントヘッドモジュールのさらに好ましい改良形態において、連結モジュールがＺ方向において支持フレーム上に据えられ、この連結モジュールは、少なくとも作動媒体を供給するためおよび電気エネルギーを提供するための複数の第１コネクタを備えた第１連結部を含み、支持フレームは、第１コネクタに相補的な複数の第２コネクタを備えた第２連結部を含み、かつ第１連結部および第２連結部は、第１コネクタと第２コネクタとの間の接続部の作製で機械的に互いに分離および連結されることが可能である。換言すると、プリントヘッドモジュールへの連結モジュールの連結は、連結中に作動媒体、電力、制御信号などのための異なるコネクタを接続し、かつ機械的接続部を作る多重連結を介して行われる。例えば、連結部の機械的接続は、ねじ接続を介して作られる。第１および第２コネクタの連結はまた、２つの連結部の接近時に実施される。反対に、分離はねじ接続の解放により起こり、相補的コネクタは互いに離れるように移動する。ねじ接続は、好ましくは、特にモータ駆動構成のものである。連結された部材が意図せず開くのを防ぐ固定手段が好ましくは含まれる。
【００２５】
機械的におよび接続の点で多重連結により接続される連結モジュールの、プリントヘッドモジュールまたはその支持フレームへの提供は、いくつかの利点を提供する。例えば、制御および供給ラインへのプリントヘッドモジュールの単純化された接続が結果として可能である。複数のプリントヘッドの作動および供給が、したがって単一の中央モジュールを介して行われる。第２に、供給された制御および供給ラインの負荷も、プリントヘッドを支持するハウジングコンポーネントに負荷をかけることなく、支持フレームを介して結果として消散される。連結モジュールは、特に好ましくはインクタンクなどの供給容器により補充される。それらの重量はまたプリントヘッドを支持するハウジングコンポーネントに作用しない。さらに、連結モジュールは、修理および補修管理作業に関して、適切な多重連結を介したプリントヘッドモジュールの単純な分離および連結を可能にする。連結モジュールが除去されると、プリントヘッドモジュールへより容易にアクセス可能となる。したがって、全体として、プリントヘッドモジュールは維持および修理がより容易になる。さらに、これはより容易に設置および分解され得る。
【００２６】
連結モジュールは、好都合には支持フレームの横材に据えられる。ここで、取付補助具は、有利には連結モジュールに配置される。連結モジュールの重量は、横材を介して支持フレームにより直接吸収される。プリントヘッドモジュールは、連結モジュールを介して、シングルパスインクジェットプリンタへ持ち上げて入れられることと、シングルパスインクジェットプリンタから持ち上げて出されることとの両方が可能である。多重連結により、プリントヘッドモジュールは、容易に受容および配設され得る。
【００２７】
プリントヘッドモジュールのさらに適切な改良形態において、ハウジングコンポーネントは、Ｚ方向に延在し、かつ横断ブラケットへ接続される２つのサイドチークを含み、支持フレームはサイドチーク間に配置される。換言すると、ハウジングコンポーネントは、結果的に全体としてブラケット形状またはＵ字形が与えられ、突出部（ｌｉｍｂ）はサイドチークにより形成される。揺動軸は、特に、各場合においてサイドチークの自由端で１つの回転軸受により画定され、揺動軸は、各場合において回転軸受でサイドチークを貫通する。
【００２８】
好ましい一改良形態において、そのまたは各回転軸受は、ラジアル滑り軸受として構成される。ラジアル滑り軸受は、揺動ハウジングコンポーネントの、プリントヘッドを支持する横断ブラケットの、支持フレームに対して揺動アクスルに沿ったオフセットを可能にする。これは、取り付ける際のプリントヘッドモジュールの正確な位置決めを促進する。
【００２９】
そのまたは各ラジアル滑り軸受は、特に好ましくは、案内ピンであって、Ｘ方向に延在し、かつ大きめの開口部を通して案内される案内ピンにより形成される。結果として、支持フレームに対してＸ方向およびＹ方向の追加的な自由度が、ハウジングコンポーネントの横断ブラケットへ提供され、この横断ブラケットがプリントヘッドを支持する。動きの遊びの範囲が、ハウジングコンポーネントの空間的位置の明解な決定を理由に、２つの方向のうちの一方において追加的に制限される場合、これは、開口部と案内ピンとの間の対応する遊びの減少により行われる。特に、開口部はスロットとして好ましくは構成され、例えばＹ方向においてゼロの遊びが制限される。このタイプの２つの滑り軸受の場合、一方の開口部がＺ方向の向きを有するスロットとして構成され、他方の開口部が大きめの丸い穿孔として構成され、支持フレームに対するハウジングコンポーネントの方位角回転が可能とされるが、しかしながら、枢動ポイントはスロットを有する１つの滑り軸受により固定される。
【００３０】
そのまたは各ラジアル滑り軸受の案内ピンは、好都合には、支持フレームに取り付けられ、この案内ピンは、ハウジングコンポーネントの開口部内、特にサイドチーク内で案内される。このタイプの構成は、支持フレームへのハウジングコンポーネントの単純な取付けを可能にする。この目的のために、例えば、案内ピンは案内ねじとして構成される。
【００３１】
各場合において、１つの側壁は、さらに好ましくは、横断ブラケットの両側およびハウジングコンポーネントのサイドチークへ取り付けられる。ハウジングコンポーネントは側壁を介して機械的に安定化される。ハウジングコンポーネントに含まれる内部コンポーネントが側壁に対して支持され得る一方、開いた構成の場合、このタイプのコンポーネントの移動は、プリントヘッドを支持する横断ブラケットの望ましくない回転の原因となり得る。
【００３２】
好ましい一改良形態において、支持フレームの載置手段は、各場合においてＸ−Ｙ平面に延在する１つの平らな載置面を含む。固定されたＺ位置の場合、このタイプの載置面は、支持フレームと、したがってプリントヘッドモジュールとをＸ−Ｙ平面内で可変方式で配設することを可能にする。ここで、Ｘ−Ｙ平面において支持フレームを配設する位置は、シングルパスインクジェットプリンタに対応して設けられた対抗軸受または捕捉手段により、プリントヘッドを下げている間の自動位置調整により結果的に生じる。
【００３３】
少なくとも１つの支持用軸受が、有利には、ハウジングコンポーネントの支持フレームをＹ方向において支持するためにさらに含まれる。支持フレームの重量割合は、このタイプの支持用軸受を介して必要に応じてハウジングコンポーネント内へ消散される。結果として、プリントヘッドを支持する横断ブラケットがとる望ましい位置は、シングルパスインクジェットプリンタの作動中に任意選択的に安定化される。支持用軸受は、特に、Ｚ方向におけるオフセットの場合、それが、プリントヘッドモジュールを持ち上げて出す間のＹ軸方向における移動の自由を増大させ、したがって、持ち上げて出されたプリントヘッドの位置モジュールにおける極角周りでの、支持フレームに対するハウジングコンポーネントの揺動運動または傾きを可能にするような方法で構成される。持ち上げられて入れられた状態において、支持用軸受は、したがって、Ｚ方向およびＹ方向における自由度を制限するような方法で好ましくは構成される。特に、ボール枢動軸軸受は支持用軸受として設けられる。２つの支持用軸受が好ましくは設けられ、これらはＸ方向において互いから離間される。この目的のために、固定／浮動軸受または浮動／浮動軸受が、Ｘ方向に対する軸受組合せとして好都合には使用される。ここで、支持用軸受の一方は、好ましくは固定軸受として構成され、かつ支持用軸受の他方は固定軸受として構成される。ここで、固定軸受は、好ましくは円すい形またはボール形のソケットを備えたボール枢動軸軸受として構成される。浮動軸受は有利には角柱押圧軸受として構成され、特にまたボール枢動軸軸受として構成される。ここで、Ｘ方向に延びる角柱ソケットが設けられる。このタイプの構成により、Ｘ方向における長手方向横断ブラケット支持体のオフセットが吸収されることが可能になり、この長手方向オフセットは、例えば温度変化負荷の結果として生じる。
【００３４】
Ｘ方向に離間されている少なくとも２つの軸受部品が、プリントヘッドモジュールのハウジングコンポーネントに有利には配置され、この軸受部品は、各場合において、開放軸受における自己調整位置決めのために構成される。特に、軸受部品の軸受座に対する概略的位置決めのための捕捉手段が、さらに好ましくはハウジングコンポーネントに配置される場合、特に垂直方向において自己調整する軸受は複雑な構成のものではない。特に重力の方に方向付けられた垂直な向きにおけるプリントヘッドモジュールの漸進的な導入中、軸受を実現する２つの軸受要素が互いを自動的に見つけることのみが必要であり、その結果として最終印刷位置が最終的に固定される。好適な軸受部品は、例えば、ソケット軸受、ナイフエッジ軸受または宝石軸受と相互作用するために構成される。この点で、軸受部品は、特に円すい形、先細、角がある、尖っているまたは球状の構成のものである。
【００３５】
さらに好ましい改良形態において、軸受部品は、ハウジングコンポーネントに高さが調整可能な方式で取り付けられる。このような方法で、製造関連寸法公差は補正され得るか、またはプリントヘッドは印刷位置に対して垂直にまたはＺ方向に調整され得る。
【００３６】
好ましい改良形態において、軸受部品のうちの１つは固定軸受における位置決めのために構成され、軸受部品のうちの他方は、Ｘ方向または横断方向における浮動軸受における位置決めのために構成される。浮動軸受を介して、例えば、横断方向におけるプリントヘッドモジュールの拡張がもう一度吸収される。好都合な改良形態において、各場合において、固定軸受はボール枢動軸軸受として構成され、浮動軸受は横断方向における角柱押圧案内部により与えられる。この目的のために、軸受部品は、好ましくは、各場合においてボール枢動軸として構成される。固定軸受は、したがって、有利には点状回転取付けのためのボールソケットを備え、このボールソケット内に、プリントヘッドモジュールの垂直な導入中に枢動軸のボール端部が受容および位置決めされる。角柱押圧案内部は同様に、特に、ボール枢動軸軸受として構成されるが、しかしながら、ソケットは、横断方向に沿って角柱形の断面を備えて構成される。角柱押圧案内部は次いで、横断方向に対するプリントヘッドモジュールの並行位置を固定する。横断方向自体における１自由度としての線形オフセットが依然としてある。
【００３７】
停止面と接触するための停止部品は、さらに好ましくはプリントヘッドモジュールに配置される。このタイプの停止部品は、特に、プリントヘッドモジュールが垂直に持ち上げられて入れられたときの極角周りでのプリントヘッドモジュールの傾きに方向を合せる。
【００３８】
停止部品は、特に有利には、横断方向またはＸ方向に延在するボール枢動軸を含む。ぶら下がっているプリントヘッドモジュールの印刷位置への移動中、ボール枢動軸は、ユニットに固定される停止面と徐々に接触するように通り、最後にボール枢動軸を印刷媒体のＹ方向または進行方向において位置決めする。例えば球状の停止面とともに、ボール枢動軸は、垂直な高さとは無関係の画定された停止を可能にする。最終印刷位置においてそれぞれのプリントヘッドモジュールが、次いで、例えば、２つの開放軸受、すなわち固定軸受としてのボール枢動軸軸受および浮動軸受としての角柱押圧案内部により、ならびに停止面に当接する停止部品により、正確に固定される。傾きまたは極角は当接している停止部品により固定される。対応する誘導が、ユニットに固定される垂直な停止面と相互作用する停止部品により仮定される。
【００３９】
プリントヘッドの位置を少なくとも１つの基準位置に対して固定することにより、印刷プリントヘッドの位置モジュールに到達すると、これらは不可避的な寸法公差以外には常に同一に方向付けられる。換言すると、各プリントヘッドモジュールは、常に、少なくとも１つの基準位置に対する、そのそれぞれのプリントヘッドの同じ位置的向きを有する。結果として、プリントヘッドモジュールの単純な交換が達成される。交換されたプリントヘッドモジュールのプリントヘッドの位置および新たに挿入されたプリントヘッドモジュールは、ユニット側に対して同一である。
【００４０】
挿入されたプリントヘッドモジュールの複雑な再調整は、前記対策により不要となる。プリントヘッドモジュールの単純な挿入の後の寸法公差以外、プリントヘッドは既に調整されている。プリントヘッドモジュールは、第１に、新たなシングルパスインクジェットプリンタの構成の場合にのみ、製造交差のためにユニット側のそれぞれの軸受ポイントにおいて方向付けられていなければならない。しかしながら、これでさえ、全てのプリントヘッドモジュールのプリントヘッドが予め同一に位置決めされていることにより、現場では単純である。
【００４１】
プリントヘッドの位置的調整を目的として、プリントヘッドは、例えばＸ方向およびＹ方向に変位され得るように、プリントヘッドモジュール内に取り付けられる。好適な工具において、プリントヘッドモジュールは、出荷前に、位置的調整のために後の印刷位置と同等の取付け位置へ移動される。続いて、個別のプリントヘッドが、例えば光顕微鏡により基準位置に対してマイクロメートル範囲で位置的に調整される。
【００４２】
プリントヘッドは、好ましくは、各場合において軸受部品、例えばボール枢動軸に対して位置的に調整される。この目的のために、出荷前に、プリントヘッドモジュールは、後の印刷位置に従って対応する工作物内へ導入される。前記工具は、後のシングルパスインクジェットプリンタと同一の軸受を有する。プリントヘッドは特に並列化され、Ｘ方向およびＹ方向に方向付けられる。
【００４３】
プリントヘッドモジュールを受容するシングルパスインクジェットプリンタは、好ましくは対抗軸受支持フレームのための支持体を有し、この支持体は、ボールジョイントにより支持される平らな載置面を有する。特に自由に可動であるボールジョイントにより、支持体の載置面は、プリントヘッドモジュールの配設中、支持フレームの載置手段の載置面に平行に自動的に方向付けられる。したがって、プリントヘッドモジュールをシングルパスインクジェットプリンタに（平らであるため）安定的に配設することが結果として自動的に行われる。特に、弓形に案内された印刷媒体の場合、プリントヘッドモジュールが印刷位置における傾斜角度を有するとき、ボールジョイントの向きは平らな接触をもたらす。
【００４４】
設けられる場合、Ｘ方向に離間されている少なくとも１つのプリントヘッドモジュールのハウジングコンポーネントの少なくとも２つの軸受部品は、好ましくは各場合において、シングルパスインクジェットプリンタのフレーム構造に配置される１つの開放軸受に位置決めされる。単純な自己調整の結果としての対応する利点は、上記文において既に説明されている。
【００４５】
少なくとも１つのプリントヘッドモジュールのハウジングコンポーネントの停止部品は、好都合には、シングルパスインクジェットプリンタのフレーム構造に配置される停止面に当接する。上述のとおり、結果として、プリントヘッドモジュールの正確かつ再生可能な向きが生じる。
【００４６】
本発明の例示的な実施形態が図面を使用してより詳細に説明される。
【図面の簡単な説明】
【００４７】
【図１】支持フレームと、プリントヘッドが揺動方式で取り付けられたハウジングコンポーネントと、支持フレーム上に据えられた連結モジュールとを有する、シングルパスインクジェットプリンタのためのプリントヘッドモジュールの３次元部分透視図を示す。
【図２】図１によるプリントヘッドモジュールを拡大詳細図において示す。
【図３】図１によるプリントヘッドモジュールの支持フレームを拡大詳細図において示す。
【図４】ユニットに固定される印刷位置に配設される図１によるプリントヘッドモジュールを有するインクジェットプリンタの詳細を示す。
【発明を実施するための形態】
【００４８】
図１は、シングルパスインクジェットプリンタのためのプリントヘッドモジュール１の３次元部分透視図を示す。プリントヘッドモジュール１は、揺動方式で支持フレーム３に取り付けられたハウジングコンポーネント２を含む。対応する揺動軸５が示される。さらに、連結モジュール６が支持フレーム３に据えられる。
【００４９】
揺動軸５を中心として揺動し得るように支持フレーム３に取り付けられたハウジングコンポーネント２は、Ｘ方向に延在する横断ブラケット８であって、それに沿って、互いに対して位置的に調整される複数のプリントヘッド１０が取り付けられた横断ブラケット８を含む。横断ブラケット８は、各場合においてＺ方向に延在する２つのサイドチーク１２間に固定される。各場合において１つの側壁１３が、横断ブラケット８およびサイドチーク１２の両側に取り付けられる。側壁１３は、ハウジングコンポーネント２を機械的に安定化させる。これはまた、プリントヘッドモジュール１の内部に受け入れられたコンポーネントの望ましくない移動を妨げる。
【００５０】
揺動軸５は、各場合においてサイドチーク１２の上端部に位置する２つのラジアル滑り軸受１４により画定される。ハウジングコンポーネント２は、支持フレーム３に対して揺動軸５を中心として枢動され得る。支持フレーム３に対するハウジングコンポーネント２の線形オフセットもＸ方向に沿って可能とされる。
【００５１】
支持フレーム３は、同様にＸ方向に延在する横材１７であって、その両側にＸ方向にハウジングコンポーネント２を越えて延在する支持アーム１８が取り付けられた横材１７を含む。シングルパスインクジェットプリンタの、ユニットへ固定される、対応する支持体への対抗軸受となるまたはそれを配設するための載置手段２０が、各場合において、支持アーム１８の自由端に構成される。
【００５２】
揺動軸５および載置手段２０は、Ｚ方向においてプリントヘッドモジュール１の質量中心Ｓの上方に配置される。揺動軸５は同様に、プリントヘッド１０を支持する横断ブラケット８の上方に画定される。換言すると、重力の方に方向付けられた向きの場合、横断ブラケット８は支持フレーム３の下方または横材１７の下方にぶら下がる。支持フレーム３およびハウジングコンポーネント２を備えたプリントヘッドモジュール１自体も載置手段２０の下方にぶら下がる。この点で、載置手段２０に配設されるプリントヘッドモジュール１は、ユニットに固定される提供された印刷位置に従って重力により既に方向付けられており、かつこの点で、容易に持ち上げられてシングルパスインクジェットプリンタへ入れられ得、およびそこから出され得る。
【００５３】
プリントヘッド１０がその中に配置される横断ブラケット８は、印刷幅全体または印刷媒体の幅全体にわたって延在する。横断ブラケット８は、例えば２．５ｍの長さを有する。
【００５４】
プリントヘッド１０のための対応する供給および駆動ユニット２３、作動および供給ライン２４、供給および制御ラインのためのケーブル束２５、電気ヒューズ２６ならびにプリントヘッド１０のための制御盤２７が、対応するフレーム構造を介して支持フレーム３に取り付けられる。結果として、ハウジングコンポーネント２と、したがって、特にプリントヘッド１０を支持する横断ブラケット８とが重量から解放される。ハウジングコンポーネント２は単にプリントヘッド１０自体のみを支持する。プリントヘッド１０自体は、横断ブラケット８上をＸ方向およびＹ方向において変位され得るように取り付けられる。
【００５５】
プリントヘッドモジュール１の寸法上の拡大は、プリントヘッド１０を支持するハウジングコンポーネント２を重量から解放することにより可能である。プリントヘッド１０は、正確に、シングルパスインクジェットプリンタ上の印刷位置に位置決めされ得る。重量により引き起こされる材料変形の結果としてのプリントヘッド１０の位置的変化は、許容限界未満である。プリントヘッド１０の位置は、マイクロメートル範囲において固定され得、かつ安定している。プリントヘッドモジュール１の多くのコンポーネントの重量は、支持フレーム３へ伝えられる。支持フレーム３は、載置手段２０を介して、シングルパスインクジェットプリンタの対抗軸受に配設される。プリントヘッドモジュール１の主重量は、載置手段２０を介して対応する支持体により吸収される。
【００５６】
プリントヘッドモジュール１を垂直かつ重力の方に方向付けられた向きにおいて持ち上げて入れるおよび出すために、取付補助具３０が連結モジュール６に設けられ、その取付補助具３０にコード昇降システムのコードが取り付けられる。連結モジュール６は、多重連結を介して支持フレーム３の横材１７に、機械的にかつ接続して据えられる。この目的のために、連結モジュール６は、横材１７へ動かないように接続される第２連結部３２へ連結する第１連結部３１を含む。
【００５７】
第１連結部３１は、いくつかの第１コネクタ３４を有する。したがって、前記第１コネクタ３４に相補的な第２コネクタ３５が第２連結部３２に含まれる。第１および第２コネクタ３４、３５は、作動媒体ラインとして、制御ラインとして、またはエネルギー供給のための電気ラインとして構成される。第１連結部３１と第２連結部３２との機械的連結は、モータ３６を介して、例えばねじ接続により行われ、第１コネクタ３４は同時に第２コネクタ３５へ接続される。ここで、特に、作動媒体ラインは、作動媒体に対して封止される方式で互いに連結される。さらに、インクタンク３８が連結モジュール６に配置される。さらに、対応するケーブル導出部のための歪み除去手段４０が取り付けられる。
【００５８】
ここで、シングルパスインクジェットプリンタの開放軸受における位置決めのための軸受部品４２が、ハウジングコンポーネント２へ、各場合においてそのサイドチーク１２に取り付けられる。軸受部品４２は、例えば高さが調整可能なボール枢動軸として構成される。シングルパスインクジェットプリンタの対応する軸受要素は、円すい形もしくはボールソケットを備えた、または角柱ソケットを備えた上向き開放軸受ソケットとして構成される。さらに、捕捉手段４３が、各場合においてハウジングコンポーネント２のサイドチーク１２に取り付けられる。捕捉手段４３は、例えば楔シャフトであって、プリントヘッドモジュール１が下がっている間にシングルパスインクジェットプリンタの捕捉楔と接触し、かつ結果として方向付けられる楔シャフトを備えて構成され、その結果、プリントヘッドモジュール１は下がっている間に、それぞれの軸受部品４２が開放軸受の軸受ソケットに入った状態に自動的に配設され、その過程で望ましい正確に方向付けられた印刷位置へ到達する。この目的のために、支持フレーム３に対するハウジングコンポーネント２の対応する遊びが、対応する構成のラジアル滑り軸受１４を介して可能にされる。シングルパスインクジェットプリンタのＸ−Ｙ平面における様々な位置決めも載置手段２０の平らな載置面を介して可能にされる。Ｙ方向における固定は、持ち上げて入れられる間に停止部品４４を介して行われる。
【００５９】
軸受の詳細は、図１によるプリントヘッドモジュール１の拡大詳細図において、図２から分かり得る。停止部品４４は、下げられている間に角柱案内部においてＹ方向に方向付けられ固定されるボール枢動軸として構成される。取付補助具３０はコード締結手段４７として構成される。高さが調整可能な軸受部品４２およびそれに固定される捕捉手段４３は明らかに分かり得る。
【００６０】
ハウジングコンポーネント２の両方のサイドチーク１２に配置されるラジアル滑り軸受１４は、各場合において、それぞれのサイドチーク１２における開口部５１を貫通する１つの案内ピン５０を含む。ここで、開口部５１は大きめのサイズであり、その結果、支持フレーム３に対するハウジングコンポーネント２のオフセットも所与のあそびに従ってＹ−Ｚ平面において可能である。ハウジングコンポーネント２は、支持フレーム３に対して揺動軸５に沿って、Ｘ方向に沿って直線的にオフセットされ得ることも同様に分かり得る。平らな載置面４９を載置手段２０に見ることができる。
【００６１】
ハウジングコンポーネント２内に受け入れられた、図１によるプリントヘッドモジュール１の支持フレーム３は、図３から分かり得る。図２におけるように、載置手段２０の平らな載置面４９が見える。制御盤２７および作動媒体ライン２４は支持フレーム３の内部に受け入れられる。
【００６２】
支持フレーム３の横材１７は、Ｚ方向に延在する２つの側板５３間に取り付けられる。各場合において、ラジアル滑り軸受１４の案内ピン５０は２つの側板５３にねじで取り付けられる。支持用軸受５６は側板５３の下端部に形成され、この支持用軸受５６により、支持フレーム３はハウジングコンポーネント２でさらに支持され得る。結果として、支持フレーム３およびそこに受け入れられたコンポーネントの重量の一部をハウジングコンポーネント２へ、特に、プリントヘッドを支持する横断ブラケット８へ移すことが可能である。結果として、シングルパスインクジェットプリンタ上でのハウジングコンポーネント２の印刷位置は、場合により安定化され得る。
【００６３】
両側に設けられた支持用軸受５６は、ボール枢動軸５７を含む。ボール枢動軸５７は側板５３取り付けられる。対応して相補的な軸受要素は、ハウジングコンポーネント２の対応するサイドチーク１２の内側に各場合において固定される軸受ソケットとして与えられる。
【００６４】
支持用軸受５６のうちの１つは、ボールソケットまたは円すい形ソケット６１を含む。他方の支持用軸受５６は、相補的軸受要素として角柱ソケット６２を含む。ボールまたは円すい形ソケット６１が、ハウジングコンポーネント２の支持フレーム３の正確な枢動ポイントを画定する一方、温度変化負荷の結果としての長手方向オフセットは、角柱ソケット６２を介してＸ方向に吸収される。
【００６５】
図４はシングルパスインクジェットプリンタ６５を示す。シングルパスインクジェットプリンタ６５は、フレーム構造６６であって、図１によるプリントヘッドモジュール１が配設されるフレーム構造６６を含む。したがって、特に、支持アーム１８の載置手段２０は支持体６８に配設される。ここで、支持体６８は、回転可能な方式でボールジョイント７１において取り付けられた平らな載置面７０を含む。支持体６８の載置面７０は、配設された支持フレーム３の重量によりボールジョイント７１において方向付けられ、その結果、プリントヘッドモジュール１の傾斜角度とは無関係に常に平らな接触が存在する。
【００６６】
ハウジングコンポーネント２のサイドチークの軸受部品４２は、開放軸受７４の対応する軸受ソケットにおいて、位置的に調整される方式で受け入れられる。それぞれの捕捉手段４３は、対応する捕捉楔上で位置決めされる。
【００６７】
ハウジングコンポーネント２のサイドチークの停止部品４４は、フレーム構造６６の停止面７５に対して画定される。印刷媒体の進行方向Ｌを見ることができる。
【符号の説明】
【００６８】
１  プリントヘッドモジュール
２  ハウジングコンポーネント
３  支持フレーム
５  揺動軸
６  連結モジュール
８  横断ブラケット
１０  プリントヘッド
１２  サイドチーク
１３  側壁
１４  ラジアル滑り軸受
１７  横材
１８  支持アーム
２０  載置手段
２３  供給および駆動ユニット
２４  作動媒体ライン
２５  ケーブル束
２６  ヒューズ
２７  制御盤
３０  取付用補助具
３１  第１連結部
３２  第２連結部
３４  第１コネクタ
３５  第２コネクタ
３６  モータ
３８  インクタンク
４０  歪み除去手段
４２  軸受部品
４３  捕捉手段
４４  停止部品
４７  コード締結手段
４９  載置面
５０  案内ピン
５１  開口部
５３  側板
５６  支持用軸受
５７  ボール枢動軸
６１  ボールソケット
６２  角柱ソケット
６５  シングルパスインクジェットプリンタ
６６  フレーム構造
６８  支持体
７０  載置面
７１  ボールジョイント
７４  開放軸受
７５  停止面
Ｌ  進行方向
Ｓ  質量中心
【図１】
0006518329.tif 000002
【図２】
0006518329.tif 000003
【図３】
0006518329.tif 000004
【図４】
0006518329.tif 000005